【事件の表示】
　平成５年特許願第１２９００号「データ記録機能付きカメラ」拒絶査定不服審判事件〔平成６年８月１２日出願公開、特開平６−２２２４５０〕について、次のとおり審決する。
【結　論】
　本件審判の請求は、成り立たない。
【理　由】
１．手続の経緯・本願発明
 　本願は、平成５年１月２８日の出願であって、その請求項１に係る発明は、平成１４年９月２６日付けの手続補正書によって補正された明細書及び図面の記載からみて、その特許請求の範囲の請求項１に記載された次のとおりのものと認める（以下、「本願発明」という）。
「【請求項１】記録体にデータを記録する記録手段と、
　撮影動作を第一の動作状態と前記第一の動作状態とは異なる第二の動作状態とに選択的に設定可能なスイッチと、
　データを記憶する記憶手段と、
　前記第一の動作状態の場合に前記記憶手段が記憶する前記データを修正可能な修正モードを起動する修正モード起動手段とを備えたデータ記録機能付カメラにおいて、
　前記スイッチがオンのときに撮影モードを選択可能としオフのときは前記データを修正可能とすべく操作される兼用操作部材を含み、前記修正モードが起動されているときに前記スイッチがオンした場合はそのオンに応じて前記修正モードを解除し、前記データを記録可能とする制御手段を備えることを特徴とするデータ記録機能付カメラ。」
　
２．引用刊行物
　これに対して、原査定の拒絶の理由に引用された特開平２−４４３２８号公報（以下、「刊行物１」という。） には、次の（ａ１）〜（ａ２）の事項が記載されている。
（ａ１）「［従来の技術］
  スチルビデオカメラ等、日付（デート）情報を記録する機能を有したカメラにおいては、デートの修正を行なうモードと、通常の計時モードを有し、修正モードにてデートを修正した後は、通常の計時モードに戻しておく必要がある。このため、修正モードから計時モードに戻すのを忘れて撮影をすると、デートの記録が行なわれないことがある。
［発明が解決しようとする課題］
  本発明は、撮影時の日付情報を記録することができるカメラにあって、日付情報の修正モードのままになっていても、撮影を行なうレリーズ操作により自動的に日付の記録可能なモードに切替わるカメラを提供することを目的とする。
［課題を解決するための手段］
  本発明は、撮影時の日付情報を記録する手段を有したカメラにおいて、日付情報を記録する手段は、日付情報を記録可能な通常の計時モードと、日付情報を修正する修正モードを持ち、撮影動作を行なうレリーズ操作部材の操作により通常の計時モードに戻るようにしたものである。
　なお、上記手段は下記実施例では、ＣＰＵ１で構成されている。
［作用］
  上記構成において、日付の修正モードのままになった状態でレリーズ操作部材が操作された時、通常の計時モードに切替わり、日付の記録がなされる。なお、下記実施例では、デート修正モードでデータフラグを立て、このフラグをレリーズ操作によりリセットするようにしている。
［発明の効果］
  以上のように本発明によれば、撮影に先立つレリーズ操作部材の操作により、日付修正モードから通常の計時モードに戻るようにしているので、ユーザが修正モードから通常のモードへ戻すのを忘れていた場合であっても、的確に日付を記録することができる。」（１頁右下欄５〜２頁左上欄１３行）
（ａ２）「上記スイッチ群２の構成要素としては、メインスイッチＳ０、撮影に先立ち測光・測距を行うためのスイッチＳ１、撮影動作を行うときのレリーズスイッチＳ２、録音するかしないかのモードを選択する録音スイッチＳ３、１枚だけのシングル撮影（Ｓ、これが標準モード）と連続して複数枚の撮影を行う連写（Ｃ）とセルフタイマを用いた撮影を行うセルフ（ＳＥＬＦ）の各モード切換えを行うスイッチＳ４、デート情報切換えスイッチＳ５、デート情報の修正スイッチＳ６、デッキ蓋の開閉状態を検知するスイッチＳ７、フロッピーの挿入状態を検知するスイッチＳ８、フロッピーの書込み禁止爪の有無を検知するスイッチＳ９、上記バリアの開位置および閉位置を検知するスイッチＳ１０、Ｓ１１、レンズの初期位置を検知するスイッチＳ１２、接写時にレンズをクローズアップ状態とするためのレンズ切換スイッチＳ１３、クローズアップレンズ入位置（クローズアップ状態）および出位置（スタンダード状態）をそれぞれ検知するスイッチＳ１４、Ｓ１５および磁気ヘッドの初期位置を検知するスイッチＳ１６からなる。
  ここに、ＣＰＵ１はセルフタイマ手段や後述するシーケンス制御手段などの各種機能構成を備えており、録音スイッチＳ３、モード切換スイッチＳ４などの設定情報が、撮影前にユーザにより入力され、ＣＰＵ１内のメモリに記憶され、これらメモリ情報に基いてＣＰＵ１は所定のプログラム動作を実行し、録画、録音などのカメラ動作が行われる。」（３頁左下欄８行〜右下欄１７行）
　上記（ａ１）〜（ａ２）の記載から、刊行物１には、「メインスイッチＳ０、撮影に先立ち測光・測距を行うためのスイッチＳ１、撮影動作を行うときのレリーズスイッチＳ２、１枚だけのシングル撮影と連続して複数枚の撮影を行う連写（Ｃ）とセルフタイマを用いた撮影を行うセルフの各モード切換えを行うスイッチＳ４、デート情報切換えスイッチＳ５、デート情報の修正スイッチＳ６、及び内部にメモリを有するＣＰＵ１を備え、日付情報の修正モードのままになっていても、撮影動作を行なうレリーズ操作部材の操作により自動的に日付の記録可能なモードに切替わるカメラ。」についての発明が記載されている。
　
３．対比
　本願発明と刊行物１に記載された発明とを対比すると、まず、刊行物１に記載のものも日付情報のデータを記録する記録体を有していることは明らかであって、また、刊行物１に係るメインスイッチは「撮影動作を第一の動作状態と前記第一の動作状態とは異なる第二の動作状態とに選択的に設定可能なスイッチ」であるものと認められから、刊行物１に係る「メインスイッチ」は本願発明に係る「撮影動作を第一の動作状態と前記第一の動作状態とは異なる第二の動作状態とに選択的に設定可能なスイッチ」に実質的に相当するものと認められる。そして、刊行物１に係る「シングル撮影と連続して複数枚の撮影を行う連写（Ｃ）とセルフタイマを用いた撮影を行うセルフ（ＳＥＬＦ）の各モード」及び「デート情報の修正スイッチＳ６」は、それぞれ本願発明に係る、「撮影モード」及び「修正モード起動手段」に実質的に相当するから、結局、両者は、「記録体にデータを記録する記録手段と、撮影動作を第一の動作状態と前記第一の動作状態とは異なる第二の動作状態とに選択的に設定可能なスイッチと、データを記憶する記憶手段と、記憶手段が記憶する前記データを修正可能な修正モードを起動する修正モード起動手段とを備えたデータ記録機能付カメラにおいて、修正モードが起動されているときにスイッチがオンした場合はそのオンに応じて前記修正モードを解除し、前記データを記録可能とする制御手段を備えることを特徴とするデータ記録機能付カメラ。」である点で一致し、次の点で相違する。
相違点１；本願発明では、第一の動作状態の場合に記憶手段が記憶するデータを修正可能な修正モードを起動する修正モード起動手段を備えているのに対し、刊行物１の発明ではメインスイッチがオンのときに修正モードが起動される点。
相違点２；本願発明では、「前記スイッチがオンのときに撮影モードを選択可能としオフのときは前記データを修正可能とすべく操作される兼用操作部材」有するのに対し、刊行物１に係る発明にはその点が記載されていない点。
相違点３；本願発明では、修正モードが起動されているときに修正モードを解除するスイッチは「撮影動作を第一の動作状態と前記第一の動作状態とは異なる第二の動作状態とに選択的に設定可能なスイッチ」であるのに対し、刊行物１のものは「レリーズ操作部材」である点。
　
４．当審の判断
相違点１について；
　本願発明において第一の動作状態とはどのような状態をいうのか必ずしも明らかではないが、刊行物１のものもメインスイッチがオンのとき、すなわち換言すれば第一の動作状態のときに修正モードが起動されるものである。また、本願発明において第一の動作状態が当該スイッチのオフの状態を意味するものであったとしても、一般のデート情報を記録するカメラにおいてメインスイッチがオフのときに修正モードが起動されるようにするものは本願出願前周知である。
相違点２について；
　本願発明において「前記スイッチがオンのとき」とは第一の動作状態をいうのか第二の動作状態をいうのか必ずしも明らかではないが、撮影モードを選択する操作部材とデータを修正する操作部材を兼用とすることは、通常のカメラの操作部材が複数の機能を兼用していることを考慮すれば、当業者であれば容易に想到することができたものである。
相違点３について；
　刊行物１のものではレリーズ操作部材により修正モードを解除するものであるが、レリーズ操作部材にしろ本願発明に係るスイッチにしろ、両者とも撮影動作を行うためにの部材であるから、レリーズ操作部材に変え本願発明に係るスイッチを修正モードを解除する部材として用いることは、当業者であれば容易に想到することができたものである。
　
　そして、本願発明の作用効果も、刊行物１及び周知技術から当業者が予測できる範囲のものである。
　
５．むすび
　以上のとおりであるから、本願発明は、刊行物１に記載された発明及び周知技術に基づいて、当業者が容易に発明することができたものであるから、特許法第２９条第２項の規定により特許を受けることができない。
　よって、結論のとおり審決する。